(57)【要約】【課題】筐体内の空気を効率よく排出できる照明装置を提供すること。【解決手段】実施形態によれば、照明装置は、筐体と；前記筐体内に配置された熱源となる光源と；前記筐体内に固定され、かつ、複数の連通孔が形成された筒状のレンズ支持部と、前記レンズ支持部に固定され、前記光源と対向配置されたレンズと；を備える。【選択図】図３
2018056089.tif 000002
【特許請求の範囲】
【請求項１】
筐体と、
前記筐体内に配置された熱源となる光源と；
前記筐体内に固定され、かつ、複数の連通孔が形成された筒状のレンズ支持部と；
前記レンズ支持部に固定され、前記光源と対向配置されたレンズと；
を具備することを特徴とする照明装置。
【発明の詳細な説明】
【技術分野】
【０００１】
本発明の実施形態は、回動可能に構成された照明装置に関する。
【背景技術】
【０００２】
スタジオ等の撮影現場では、天井から吊り下げられて舞台を照らす照明装置が用いられている。この種の照明装置は、筐体、筐体内に配置されたＬＥＤ等の光源、及び筐体に固定され、光源からの光を受けて外部へ照射するレンズを有している。筐体は、通気用の通気孔が形成されている。筐体内の高い温度を有する空気は、通気孔を通して外部へ排出される。
【０００３】
また、この種の照明装置は、天井から吊り下げられたバトンに固定可能に構成された、吊り下げ部材を有している。吊り下げ部材は、筐体に、上下方向に直交する幅方向に回動可能に連結されている。照明装置は、筐体が吊り下げ部材の回動軸回りに回動することにより姿勢を変化し、レンズより光を照射する方向を変更することができる。
【０００４】
しかしながら、照明装置の姿勢が変化することにより、筐体内の空気の流動経路が変化し、筐体内の高い温度を有する空気を、通気孔を通して外部へ排出しにくくなる場合がある。特に、照明装置は、レンズを上方に向けた姿勢となると、筐体内の温度が高い空気は上方に流れる為、通気孔を通して外部へ排出されにくくなる。
【先行技術文献】
【特許文献】
【０００５】
【特許文献１】特開２０１０−６１８７８号公報
【発明の概要】
【発明が解決しようとする課題】
【０００６】
本発明が解決しようとする課題は、筐体内の空気を効率よく排出できる照明装置を提供することである。
【課題を解決するための手段】
【０００７】
実施形態によれば、照明装置は、筐体と；前記筐体内に配置された熱源となる光源と；前記筐体内に固定され、かつ、複数の連通孔が形成された筒状のレンズ支持部と、前記レンズ支持部に固定され、前記光源と対向配置されたレンズと；を備える。
【発明の効果】
【０００８】
本発明によれば、筐体内の空気を効率よく排出できる照明装置を提供することが可能となる。
【図面の簡単な説明】
【０００９】
【図１】一実施形態に係る照明装置を示す斜視図。
【図２】同照明装置を示す側面図。
【図３】同照明装置を一部切欠して示す側面図。
【図４】同照明装置を示す背面図。
【図５】同照明装置を一部切欠して示す背面図。
【図６】同照明装置の冷却装置、及びその周辺を示す平面図。
【図７】同照明装置の、枠体及び支持機構を概略的に示す斜視図。
【図８】同照明装置の支持機構を示す断面図。
【図９】同支持機構を示す断面図。
【図１０】蓋部材及びバンドアが取り外された同照明装置の要部を示す斜視図。
【図１１】同蓋部材が取り外された同照明装置の要部を示す斜視図。
【図１２】同蓋部材及び遮光構造の一部が取り外された同照明装置の要部を示す斜視図。
【発明を実施するための形態】
【００１０】
照明装置１０は、  
筐体４０と；  
筐体４０内に配置された熱源となる光源８２と；  
筐体４０内に固定され、かつ、複数の連通孔５２が形成された筒状のレンズ固定部５０と；  
レンズ固定部５０に固定され、光源８２と対向配置されたレンズ９０と；  
を備える。
【００１１】
本発明の一実施形態に係る照明装置１０を、図１乃至図１２を用いて説明する。  
図１は、照明装置１０を示す斜視図である。  
図２は、照明装置１０を示す側面図である。  
図３は、照明装置１０を一部切欠して示す側面図である。
【００１２】
図１乃至図３に示すように、照明装置１０は、照明可能に構成された灯体２０、及び灯体２０を制御可能に構成された制御装置１８０を有している。
【００１３】
灯体２０は、筐体４０、筐体４０に設けられたバンドア６０、筐体４０に設けられた吊り下げ部材７０、筐体４０に収容された光源ユニット８０、筐体４０に固定されたレンズ９０、筐体４０に収容され、光源ユニット８０を冷却可能に構成された冷却装置１００、光源ユニット８０及び冷却装置１００が固定され、これらをレンズ９０に近づく方向及び離れる方向に一体に移動可能に構成された移動装置１４０、並びに、筐体４０から光が漏れることを防止可能に構成された遮光構造１７０を有している。
【００１４】
筐体４０は、一端に開口を有しており、この一端部にレンズ９０が固定されている。ここで、照明装置１０に、前後方向Ｆ、上下方向Ｖ、及び幅方向Ｗを設定する。
【００１５】
本実施形態では、レンズ９０の光軸に平行な方向を前後方向Ｆとする。また、レンズ９０が配置されている側を前とし、反対側を後ろとする。また、前後方向Ｆに直交する方向のうち、一方向及びこの一方向に対して反対方向を上下方向Ｖとする。また、前後方向Ｆに直交し、かつ上下方向Ｖに直交する方向を、幅方向Ｗとする。
【００１６】
筐体４０は、具体的には、筐体本体４１、筐体本体４１に着脱可能に取り付けられる蓋部材４５、及び筐体本体４１内に固定され、レンズ９０を固定可能に形成されたレンズ固定部５０を有している。
【００１７】
筐体本体４１は、筐体４０の、底壁部４２、側壁部４３の一部、及び後壁部４４を構成している。蓋部材４５は、筐体４０の、側壁部４３の一部、及び上壁部４６を構成している。
【００１８】
図４は、照明装置１０を示す背面図である。図４に示すように、後壁部４４には、複数の通気孔４８が形成されている。また、後壁部４４には、把持部４９が形成されている。把持部４９は、作業者が把持可能に形成されている。把持部４９は、一例として、後壁部４４の後面から後方に突出するＵ字状に形成されている。
【００１９】
上壁部４６の上面４７は、図１に示すように、底壁部４２に対する高さが異なる２つの上面部を有している。すなわち、上壁部４６は、第１の上面部４７ａ、第２の上面部４７ｂ、並びに、第１の上面部４７ａ及び第２の上面部４７ｂに連続する第３の上面部４７ｃを有している。
【００２０】
第１の上面部４７ａは、底壁部４２から高さが、例えば一定に形成されている。第１の上面部４７ａの前端及び後端は、前後方向Ｆに直交する直線状に形成されている。第１の上面部４７ａには、複数の通気孔４８が形成されている。通気孔４８は、貫通孔であり、筐体４０の内外を連通する。
【００２１】
第２の上面部４７ｂは、底壁部４２からの高さが、底壁部４２から第１の上面部４７ａまでの高さよりも低い。第２の上面部４７ｂは、底壁部４２からの高さが、例えば一定に形成されている。第２の上面部４７ｂは、その前端及び後端が、前後方向Ｆに直交する直線状に形成されている。第２の上面部４７ｂは、複数の通気孔４８が形成されている。
【００２２】
第３の上面部４７ｃは、第１の上面部４７ａの後端、及び第２の上面部４８ｂの前端に連続している。第３の上面部４７ｃは、前後方向Ｆに対して、例えば直交する平面に形成されている。第３の上面部４７ｃには、複数の通気孔４８が形成されている。
【００２３】
なお、上壁部４６において通気孔４８が形成される範囲、及び第３の上面部４７ｃの位置については、後で詳細に説明する。
【００２４】
レンズ固定部５０は、図３に示すように、レンズ９０を固定可能に形成されている。レンズ固定部５０は、筐体本体４１の前端部に設けられている。レンズ固定部５０は、具体的には、レンズ９０の外径と略同じ長さの内径を有する円筒状に形成されており、その軸方向一端部に、レンズ９０が固定される固定部５１が形成されている。
【００２５】
固定部５１は、例えば、レンズ９０の縁部を内側に配置する溝部である。固定部５１は、レンズ９０の外周部が嵌合する形状に形成されている。固定部５１にレンズ９０の縁部が嵌合することにより、固定部５１にレンズ９０が固定されることとなる。
【００２６】
レンズ固定部５０は、その他端開口、すなわちレンズ９０が固定されない方の端部を筐体本体４１の前端開口に向けた姿勢で、筐体本体４１内に固定されている。レンズ固定部５０は、筐体本体４１の前端開口と、例えば同軸に配置されている。
【００２７】
また、筐体本体４１の前縁とレンズ固定部５０との間は、閉塞されており、光が漏れることが防止されている。この構造として、例えば、筐体本体４１の前縁、及びレンズ固定部５０の間を閉塞する壁部が形成されている。
【００２８】
レンズ固定部５０には、複数の連通孔５２が形成されている。連通孔５２は、レンズ固定部５０の周壁部を貫通している。複数の連通孔５２ａは、均等に配置されている。
【００２９】
バンドア６０は、筐体４０の前端開口の縁部に設けられている。バンドア６０は、レンズ９０から照射された照射光の照射範囲を調整可能に構成されている。
【００３０】
吊り下げ部材７０は、図１に示すように、筐体４０の両側壁部４３のそれぞれに回動可能に連結された枠部材７１、筐体本体４１に枠部材７１を固定可能に構成されたロック装置７２、及び枠部材７１に固定された固定部材７３を有している。
【００３１】
枠部材７１は、例えばＵ字形状である。枠部材７１は、その両端部が、筐体本体４１の幅方向Ｗに平行な回動軸回りに回動可能に、側壁部４３に連結されている。ロック装置７２は、例えば、ハンドル７４を有している。ロック装置７２は、ハンドル７４が回転されることにより、筐体本体４１に対して枠部材７１を固定可能に構成されている。枠部材７１は、ロック装置７２により側壁部４３に固定されることにより、その姿勢が固定される。すなわち、枠部材７１は、回動することなく筐体４０に固定される。固定部材７３は、例えば、スタジオ等の使用場所の天井から吊り下げられたバトンに着脱可能に形成されている。
【００３２】
光源ユニット８０は、図３に示すように、基板８１、基板８１に搭載された光源８２、及びミラー８３を有している。基板８１は、制御装置１８０の制御により、光源８２を発光可能に構成されている。光源８２は、ＬＥＤ（Light emitting diode）等の発光素子である。光源８２は、基板８１に、例えば複数搭載されている。
【００３３】
ミラー８３は、円筒状に形成されており、基板８１に固定されている。ミラー８３は、その内側に光源８２を配置している。また、基板８１には、ミラー８３を基板８１に支持する支持機構８４が設けられている。
【００３４】
支持機構８４は、環状部材８５、及び環状部材８５を基板８１に固定する固定部材８６を有している。環状部材８５は、その内縁部が、ミラー８３の前端縁に固定されている。この為、環状部材８５は、ミラー８３の前縁から周方向に延びるフランジ状に形成されることとなる。固定部材８６は、例えばねじ部材である。
【００３５】
このように構成された光源ユニット８０は、ミラー８３の軸線をレンズ９０の光軸上に配置する姿勢で、移動装置１４０に固定されている。
【００３６】
レンズ９０は、レンズ固定部５０の固定部５１に固定されている。レンズ９０は、光源８２が発光した光を、筐体４０の前端開口を通して外部に照射可能に形成されている。レンズ９０は、例えばフレネルレンズである。
【００３７】
また、レンズ９０は、一例として、その光軸が、筐体４０の幅方向中心を通る位置に配置されている。言い換えると、筐体４０及びレンズ固定部５０は、レンズ９０が、その光軸が筐体４０の幅方向中心を通るように形成されている。
【００３８】
図５は、照明装置１０を一部切欠して示す背面図である。図５は、具体的には、照明装置１０を、第２の上面部４７ｂで前後方向Ｆに直交する断面に沿って切断した断面図であり、冷却装置１００の後端を示している。
【００３９】
図６は、冷却装置１００及びその周辺を示す平面図である。図６は、具体的には、照明装置１０を、上下方向Ｖに直交する断面に沿って切断した状態において、冷却装置１００を上方から見た状態を示している。
【００４０】
図３，５，６に示すように、冷却装置１００は、光源ユニット８０に熱的に接続された放熱器１１０、及び放熱器１１０に熱的に接続された複数のヒートパイプ１２０を有している。
【００４１】
放熱器１１０は、光源ユニット８０の基板８１が固定されたベース板１１１、及びベース板１１１に設けられた複数の放熱フィン１１２を有している。ベース板１１１及び複数の放熱フィン１１２は、別部材として形成され、互いに固定されてもよい。または、押し出し成形等により、一体に形成されてもよい。
【００４２】
ベース板１１１は、板形状に形成されている。ベース板１１１は、一方の主面を前方に向け、他方の主面を後方に向けた姿勢で、移動装置１４０に固定されている。また、ベース板１１１は、その幅方向中心がレンズ９０の光軸が通る位置に配置されている。
【００４３】
ベース板１１１は、一方の主面すなわち前面１１１ａに光源ユニット８０が固定されている。前面１１１ａは、光源ユニット８０の基板８１よりも大きい面積を有する。前面１１１ａは、その幅方向の中央部に基板８１を配置している。
【００４４】
放熱フィン１１２は、光源ユニット８０がベース板１１１に固定され、かつ放熱フィン１１２がベース板１１１に固定されることにより、光源８２に熱的に接続されることとなる。
【００４５】
複数の放熱フィン１１２は、その前端部がベース板１１１に固定され、残りの部分がベース板１１１の後面１１１ｂからから後方に延びている。放熱フィン１１２は、図３に示すように、例えば矩形の板状に形成されている。複数の放熱フィン１１２は、幅方向Ｗに互いに離間して配置されている。また、全ての放熱フィン１１２は、例えば平行に配置されている。
【００４６】
また、全ての放熱フィン１１２は、少なくとも前端１１３が前後方向Ｆの同じ位置に配置されている。すなわち、全ての放熱フィン１１２は、その前端１１３が、前後方向Ｆに直交する平面に配置されている。
【００４７】
なお、本実施形態では、全ての放熱フィン１１２は、その、前端１１３、後端１１４、上端１１５、及び下端が、互いに幅方向Ｗに重なるように配置されている。これにより、全ての放熱フィン１１２の前端１１３が幅方向Ｗに重なり、すなわち、前後方向Ｆに同位置に配置されている。
【００４８】
放熱フィン１１２の後端部の一部は、図６に示すように、幅方向Ｗに隣接配置された放熱フィン１１２に連結されている。この連結構造は、一例として、放熱フィン１１２の後端部の一部に形成され、隣接配置された放熱フィン１１２に向かって延びる延出部１１７、延出部１１７の延出方向先端に形成された突出部、及び放熱フィン１１２の後端部に形成され、この突出部が係合可能に形成された凹部または孔を有している。突出部が、凹部または孔内に配置されて係合されることにより、隣接配置された一対の放熱フィン１１２どうしが、互い連結される。
【００４９】
なお、延出部１１７は、放熱フィン１１２の後端部の一部に形成されており、隣接する一対の放熱フィン１１２間の全てが、延出部１１７により閉塞されることはない。すなわち、隣接する放熱フィン１１２間において、延出部１１７以外の部分は、隙間が確保されている。
【００５０】
なお、本実施形態では、放熱フィン１１２は、偶数設けられており、幅方向一方側に配置された半数の放熱フィン１１２が、互いに連結構造により連結されており、幅方向他方側に配置された残りの放熱フィン１１２が、互いに連結構造により連結されている。
【００５１】
このように構成された放熱器１１０は、その幅方向Ｗの中心が、筐体４０の幅方向の中心に配置されている。
【００５２】
ヒートパイプ１２０は、両端が閉塞された管部材１２１、及び管部材１２１内に収容された作動流体を有している。管部材１２１は、幅方向両端に配置された放熱フィン１１２の間に配置された部分、及び幅方向の端に配置された放熱フィン１１２より幅方向外側に配置された部分を有している。
【００５３】
管部材１２１は、具体的には、幅方向両端に配置された放熱フィン１１２間に配置された第１の管部１２２、第１の管部１２２に連続し、幅方向Ｗの端に配置された放熱フィン１１２よりも幅方向外側に配置された第２の管部１２３、及び第２の管部１２３に連続し、幅方向Ｗの両端に配置された放熱フィン１１２の間に配置された第３の管部１２４を有している。
【００５４】
第１の管部１２２は、直線状に形成されている。第１の管部１２２の長さは、幅方向両端に配置された放熱フィン１１２間の長さよりも短い。
【００５５】
第１の管部１２２の一部は、放熱フィン１１２に形成された孔内に配置されており、この孔の内面に熱的に接続されている。第１の管部１２２は、幅方向Ｗに延びており、ベース板１１１に固定されて、熱的に接続されている。第１の管部１２２のベース板１１１に対する固定は、例えばブラケットが用いられてもよい。
【００５６】
第２の管部１２３は、平面視形状が、例えばＵ字形状に形成されている。第２の管部１２３は、具体的には、図６に示すように、その中途部が、平面視で前後方向Ｆに傾斜した直線状に形成されている。中途部は、その後端が、前端に対して放熱フィン１１２より幅方向外側に配置されている。
【００５７】
第３の管部１２４は、第１の管部１２２及び第２の管部１２３よりも後方に配置されている。第３の管部１２４は、直線状に形成されている。第３の管部１２４の長さは、幅方向両端に配置された放熱フィン１１２間の長さよりも短い。第３の管部１２４は、幅方向に延びており、放熱フィン１１２の孔内に配置されている。第３の管部１２４において放熱フィン１１２の孔内に配置された部分は、孔の内面に熱的に接続されている。
【００５８】
作動流体は、揮発性の液体である。作動流体は、管部材１２１の第１の管部１２２を介してベース板１１１から受けた熱により蒸発し、第３の管部１２４で放熱する。
【００５９】
このように構成された複数のヒートパイプ１２０は、上下方向Ｖに並んで配置されている。また、全てのヒートパイプ１２０のうちの一部のヒートパイプ１２０は、第２の管部１２３を、幅方向Ｗの一端に配置された放熱フィン１１２よりも幅方向外側に配置する姿勢で、ベース板１１１に固定されている。残りのヒートパイプ１２０は、第２の管部１２３を、幅方向Ｗの他端に配置された放熱フィン１１２よりも幅方向外側に配置する姿勢で、ベース板１１１に固定されている。
【００６０】
また、第２の管部１２３が幅方向Ｗの一端に配置された放熱フィン１１２よりも幅方向外側に配置されたヒートパイプ１２０、及び第２の管部１２３が幅方向Ｗの他端に配置された放熱フィン１１２よりも幅方向外側に配置されたヒートパイプ１２０が、上下方向Ｖに交互に配置されている。
【００６１】
また、複数のヒートパイプ１２０は、図３に示すように、上下方向Ｖに隣接配置された一対のヒートパイプ１２０が、それらの前端間の間隔よりも、それらの後端間の間隔が広くなるように、配置されている。
【００６２】
移動装置１４０は、冷却装置１００及び光源ユニット８０を、前後方向Ｆに移動可能に支持している。移動装置１４０は、具体的には、冷却装置１００が固定された枠体１２５、枠体１２５を前後方向Ｆに移動可能に構成された移動機構１５０、及び枠体１２５を前後方向Ｆに移動可能に筐体４０に支持する支持機構１６０を有している。
【００６３】
図２、６に示すように、枠体１２５は、放熱器１１０が固定されている。図７は、枠体１２５及び支持機構１６０を概略的に示す斜視図である。枠体１２５は、具体的には、図７に示すように、直方体状に形成されており、前壁部１２６、一対の側壁部１２７、後壁部１２８、及び底壁部１２９を有している。また、枠体１２５は、例えば、複数の部材を組み合わせることにより構成されてもよい。
【００６４】
枠体１２５は、本実施形態では、前壁部１２６、後壁部１２８の一部、及び一対の側壁部１２７が１つの第１の部材１２５ａから形成されており、この第１の部材１２５ａを屈曲することにより、前壁部１２６、一対の側壁部１２７、及び後壁部１２８が形成されている。また、枠体１２５は、後壁部１２８の一部を構成する枠状の第２の部材１２５ｂを有している。また、枠体１２５は、底壁部１２９を構成する第３の部材１２５ｃを有している。これら部材１２５ａ、１２５ｂ、１２５ｃは、互いに固定されている。
【００６５】
前壁部１２６は、その幅方向Ｗの中途部に上下方向に連続する第１の溝部１２６ａを有している。前壁部１２６は、図６に示すように、第１の溝部１２６ａ内に、光源ユニット８０を配置している。前壁部１２６の内面に、放熱器１１０のベース板１１１の前面が固定されている。側壁部１２７は、図７に示すように連通孔１２７ａが形成されている。連通孔１２７ａは、側壁部１２７を貫通している。
【００６６】
第１の部材１２５ａにより形成された後壁部１２８の一部は、幅方向Ｗの中途部に上下方向Ｖに連続する第２の溝部１２８ａが形成されている。第２の部材１２５ｂは、矩形の枠状に形成されており、後壁部１２８の上部を形成している。第２の部材１２５ｂは、第２の溝部１２８ａの一部に配置されており、第１の部材１２５ａに固定されている。
【００６７】
後壁部１２８は、少なくとも１つの放熱フィン１１２が固定されている。本実施形態では、幅方向の一方に配置され、互いに連結された半数の放熱フィン１１２のうち、幅方向内側に配置された放熱フィン１１２が、ねじ等の固定部材１１２ｂにより、後壁部１２８に固定されている。また、幅方向Ｗの他方に配置され、互いに連結された残りの放熱フィン１１２のうち、幅方向内側に配置された放熱フィン１１２が、固定部材１１２ｂにより、後壁部１２８に固定されている。
【００６８】
この２つの放熱フィン群それぞれの、幅方向内側に配置された放熱フィン１１２が、固定部材１１２ｂにより、後壁部１２８に固定されたことにより、全ての放熱フィン１１２は、連結構造、及び固定部材１１２ｂを介して、後壁部１２８に固定されることとなる。
【００６９】
移動機構１５０は、枠体１２５を、所定範囲内で、前後方向Ｆに移動可能に形成されている。所定範囲のうち、レンズ９０から最も離れた位置を第１の位置Ｐ１とし、第１の位置Ｐ１に対してレンズ９０に最も近い位置を第２の位置Ｐ２とする。
【００７０】
図３では、枠体１２５が第１の位置Ｐ１にある状態における、光源ユニット８０及び冷却装置１００が実線で示されており、枠体１２５が第２の位置Ｐ２にある状態における、光源ユニット８０の一部、及び冷却装置１００の一部が２点鎖線で示されている。
【００７１】
所定範囲について、具体的に説明する。本実施形態では、所定範囲は、一例として、レンズ９０から所定距離離れた位置で要求される照射範囲に基づいて決定されている。照射範囲は、レンズ９０の焦点位置により決定される。焦点位置は、レンズ９０に対する光源８２の位置により決定される。すなわち、所定範囲は、レンズ９０の焦点位置に応じて、その前端及び後端が決定されている。
【００７２】
移動機構１５０は、図３に示すように、例えばボールねじ構造を有している。移動機構１５０は、具体的には、枠体１２５の側壁部１２７に固定されたナット部材１５１、及び筐体４０に回転可能に支持された雄ねじ部材１５２を有している。
【００７３】
ナット部材１５１は、一方の側壁部１２７の上端部または下端部に固定されている。本実施形態では、ナット部材１５１は、一例として下端部に固定されている。雄ねじ部材１５２は、その軸方向を前後方向Ｆに平行とする姿勢で、筐体４０の底壁部４２に、支持部１５３により回転可能支持されている。雄ねじ部材１５２は、ナット部材１５１に螺合している。雄ねじ部材１５２が回転されることにより、枠体１２５が、前後方向に移動される。
【００７４】
雄ねじ部材１５２は、第１の位置Ｐ１及び第２の位置Ｐ２の間で、枠体１２５を移動可能とするべく、その一部に雄ねじが形成されている。雄ねじ部材１５２の後端部には、雄ねじは形成されていない。
【００７５】
雄ねじ部材１５２の後端部は、筐体４０の後壁部４４よりも後方に配置されている。後端部には、ハンドル１５５が設けられている。ハンドル１５５は、作業者が把持しやすい形状に形成されている。また、移動機構１５０は、枠体１２５が第１の位置Ｐ１及び第２の位置Ｐ２を越えて移動することを防止するストッパを有している。すなわち、このストッパにより、枠体１２５が第２の位置Ｐ２を越えて前側に移動することが防止される。また、ストッパにより、枠体１２５が第１の位置Ｐ１を越えて後側に移動することが防止される。
【００７６】
支持機構１６０は、図７に示すように、枠体１２５の他方の側壁部１２７側、すなわち、移動機構１５０が形成されていない方の側壁部１２７側に設けられている。支持機構１６０は、底壁部４２に支持部１６６により支持された支持部材１６１、枠体１２５の側壁部１２７に形成され、内部に支持部材１６１の一部を収容する収容部１６２を有している。
【００７７】
支持部材１６１は、支持部１６６により、その軸線回りに回転しないように固定されてもよく、または、その軸線回りに回転可能に支持されてもよい。
【００７８】
支持部材１６１は、前後方向Ｆに延びており、その軸方向に直交する断面が円形に形成されている。支持部材１６１は、円柱状、または、円筒状に形成されている。
【００７９】
収容部１６２は、枠体１２５の側壁部１２７の下端部に設けられている。収容部１６２は、本実施形態では、一例として、側壁部１２７の一部、側壁部１２７に固定された上壁部材１６４、及び側壁部１２７に固定された下壁部材１６５により構成されている。なお、収容部１６２は、例えば、断面がＵ字に形成された１つの部材により構成されてもよい。
【００８０】
上壁部材１６４の内面１６４ａ、及び下壁部材１６５の内面１６５ａは、支持部材１６１の軸方向に平行な平面に形成されている。内面１６４ａ，１６５ａの間の長さは、支持部材１６１の外径よりも若干長く形成されている。
【００８１】
また、本実施形態では、上壁部材１６４の内面１６４ａ及び下壁部材１６５の内面１６５ａは、一例として平行である。図８は、照明装置１０が、その前後方向Ｆが水平方向に平行である状態の、支持機構１６０を示す断面図である。
【００８２】
上壁部材１６４の内面１６４ａは、図８に示すように、照明装置１０が、その下方向が重力の作用する方向と平行となる姿勢であるときに、すなわち、前後方向Ｆが水平方向に平行となるときに、支持部材１６１に当接して上下方向Ｖに直交する平面であってもよい。
【００８３】
図９は、照明装置１０が、その前後方向Ｆが重力の作用する方向に略平行となった状態における、支持機構１６０を示す断面図である。照明装置１０が、その前後方向Ｆが重力の作用する方向に略平行となると、枠体１２５は、移動機構１５０の雄ねじ部材１５２を回転軸として、若干ではあるが回転する。
【００８４】
この回転により、支持部材１６１及び収容部１６２の相対位置がずれるが、図９に示すように、支持部材１６１が下壁部材１６５の内面１６５ａに接触することにより、枠体１２５がそれ以上回転することが防止される。
【００８５】
このように構成された移動機構１５０、及び支持機構１６０は、光源ユニット８０、冷却装置１００、及び枠体１２５を、筐体４０に対して上述の位置に固定している。
【００８６】
なお、本実施形態では、移動装置１４０は、移動機構１５０がボールねじ構造を有することにより、移動機構１５０が枠体１２５を筐体４０に対して幅方向Ｗに固定している。さらに、支持機構１６０は、支持部材１６１が側壁部１２７に当接することにより、枠体１２５を幅方向一方側に移動することを防止している。
【００８７】
このように、移動機構１５０及び支持機構１６０が、枠体１２５を筐体４０に対して幅方向Ｗに移動しないように固定する機能を有している。移動装置１４０は、他の例として、移動機構１５０及び支持機構１６０以外に、枠体１２５を幅方向Ｗに固定する固定機構を有してもよい。
【００８８】
ここで、筐体４０の上壁部４６において通気孔４８が形成される範囲Ｒについて、具体的に説明する。範囲Ｒ内には、通気孔４８が複数形成されており、これら複数の通気孔４８が例えば均等に配置されている。
【００８９】
範囲Ｒは、図１及び図３に示すように、枠体１２５が第１の位置Ｐ１に配置された状態
において、少なくとも全ての放熱フィン１１２の上端面の全域と上下方向Ｖに対向し、枠体１２５が第２の位置Ｐ２に配置された状態において、少なくとも全ての放熱フィン１１２の上端面の全域と対向し、かつ、枠体１２５が第１の位置Ｐ１及び第２の位置Ｐ２の間で移動する際においても、全ての放熱フィン１１２の上端面の全域と上下方向Ｖに対向する範囲である。
【００９０】
そして、範囲Ｒの前端Ｒ１は、枠体１２５が第２の位置Ｐ２に配置された状態において、複数の放熱フィン１１２の前端１１３のうち、最も前側に配置された前端１１３と上下方向Ｖに対向する。本実施形態では、全ての放熱フィン１１２は、その前端１１３の位置が前後方向Ｆに同じ位置となる。この為、範囲Ｒの前端Ｒ１は、幅方向Ｗに平行な直線状となる。
【００９１】
なお、範囲Ｒの前縁Ｒ３は、その幅方向中央に前端Ｒ１を有し、幅方向両端部Ｒ２が、幅方向Ｗに対して傾斜している。しかしながら、範囲Ｒの両端部Ｒ２の近傍の範囲は、上下方向Ｖにいずれの放熱フィン１１２と対向しない範囲である。枠体１２５が第２の位置Ｐ２に配置された状態における全ての放熱フィン１１２の上端面の全域は、範囲Ｒにおいて前端Ｒ１の後方となる部分に、上下方向Ｖに対向している。
【００９２】
範囲Ｒの後端Ｒ４は、図３に示すように、枠体１２５が第１の位置Ｐ１に配置された状態における放熱フィン１１２の後端１１４よりも後方に配置されている。この為、枠体１２５が第１の位置Ｐ１に配置された状態では、全て放熱フィン１１２の上端面の全域は、上下方向Ｖに範囲Ｒに対向する。
【００９３】
範囲Ｒの幅方向両縁は、枠体１２５が第１の位置Ｐ１及び第２の位置Ｐ２の間のいずれの位置に配置されても、範囲Ｒが全ての放熱フィン１１２の全域と上下方向Ｖに可能な位置に配置されている。範囲Ｒの幅方向両縁は、本実施形態では、上壁部４６の幅方向両縁の近傍に配置されている。
【００９４】
図１０は、蓋部材４５及びバンドア６０が取り外された照明装置１０を示す斜視図である。図１１は、蓋部材４５が取り外された照明装置１０の要部を示す斜視図である。図１２は、蓋部材４５及び遮光構造１７０の一部が取り外された照明装置１０の要部を示す斜視図である。
【００９５】
図１０乃至図１２に示すように、遮光構造１７０は、枠体１２５が第１の位置Ｐ１及び第２の位置Ｐ２の間のいずれの位置にあっても、筐体４０に形成された通気孔４８から光が漏れることを防止可能に構成されている。すなわち、遮光構造１７０は、本実施形態では、上壁部４６に形成された通気孔４８、及び後壁部４４に形成された通気孔４８から外部へ光が漏れることを防止可能に構成されている。
【００９６】
遮光構造１７０は、具体的には、光源ユニット８０と一体に移動可能に設けられた第１の遮光部１７１、及びレンズ９０の周囲に固定された第２の遮光部１７２を有している。
【００９７】
第１の遮光部１７１は、レンズ９０により反射された光の一部、及びミラー８３により反射された光が、筐体４０の通気孔４８を通して外部へ出ることを防止可能に構成されている。
【００９８】
第１の遮光部１７１は、具体的には、光源ユニット８０の周囲に固定された第１の遮光部形成部材１７３、及び第１の遮光部形成部材１７３の上方に固定された第２の遮光部形成部材１７４を有している。
【００９９】
図１２は、第２の遮光部形成部材１７４が取り外された状態の第１の遮光部１７１、及びその周辺を示している。第１の遮光部形成部材１７３は、図３及び図１２に示すように、レンズ９０により反射された光の一部が筐体４０の通気孔４８を通って外部に出ることを防止可能に形成されている。
【０１００】
第１の遮光部形成部材１７３は、冷却装置１００よりも前方に配置されている。第１の遮光部形成部材１７３は、例えば、壁状に形成されており、レンズ９０に前後方向Ｆに対向している。第１の遮光部形成部材１７３の後面１７３ａにおいて放熱フィン１１２よりも少なくとも上方の部分は、例えば前後方向Ｆに直交する平面に形成されている。
【０１０１】
第１の遮光部形成部材１７３は、その中央部に、光源ユニット８０を配置する連通孔１７５が形成されている。また、第１の遮光部形成部材１７３は、図３に示すように、固定部材８７により、枠体１２５の前壁部１２６に固定されている。すなわち、第１の遮光部形成部材１７３及び光源ユニット８０は、固定部材８７、冷却装置１００のベース板１１１を介して一体に固定されている。
【０１０２】
なお、第１の遮光部形成部材１７３を移動装置１４０に固定する固定構造の一例として、上述のように、第１の遮光部形成部材１７３が、固定部材８７により、枠体１２５に固定された。しかしながら、第１の遮光部形成部材１７３を移動装置１４０に固定する固定構造は、上述の固定構造に限定されない。
【０１０３】
第１の遮光部形成部材１７３は、レンズ９０により反射された光が当たることにより、レンズ９０により反射された一部光が、筐体４０の上壁部４６の通気孔４８及び後壁部４４の通気孔４８に到達することを防止可能な大きさを有している。
【０１０４】
本実施形態では、筐体４０の上壁部４６に通気孔４８が多く形成されている為、第１の遮光部形成部材１７３は、その上部が、下部よりも大きく形成されている。上部が下部よりも大きく形成されていることにより、レンズ９０により反射されて上壁部４６の通気孔４８へ向かう光の多くが、第１の遮光部形成部材１７３に当たり、通気孔４８まで到達することが防止される。
【０１０５】
また、第１の遮光部形成部材１７３は、例えば、前後方向Ｆに、レンズ９０、及び後壁部４４に形成された全ての通気孔４８に対向する大きさを有している。言い換えると、後壁部４４に形成された通気孔４８は、前後方向Ｆに第１の遮光部形成部材１７３に対向する範囲内に形成されている。
【０１０６】
第１の遮光部形成部材１７３の下方の部分となる第１の部分１７６は、所定の径を有する円の一部となる形状を有している。第１の遮光部形成部材１７３の、第１の部分１７６よりも上方の部分となる第２の部分１７７は、第１の部分１７６の径よりも大きい径を有する円の一部となる形状を有している。
【０１０７】
また、第２の部分１７７は、図３に示すように前後方向Ｆに見たときに、第２の部分１７７の縁の内側にレンズ固定部５０の上部を配置可能な大きさを有している。また、第１の遮光部形成部材１７３は、その上端が、冷却装置１００の放熱フィン１１２の上端よりも上方に配置されている。
【０１０８】
第１の遮光部形成部材１７３の第２の部分１７７の縁部１７８は、図１２に示すように、第２の遮光部形成部材１７４が固定可能に形成されている。縁部１７８は、具体的には、前後方向Ｆのうち例えば前方に屈曲しており、第２の遮光部形成部材１７４が固定可能となっている。
【０１０９】
第２の遮光部形成部材１７４は、その後端部が、図１０，１１に示すように、第１の遮光部形成部材１７３の縁部１７８に、ねじ部材等の固定部材１７９により、着脱可能に固定されている。第２の遮光部形成部材１７４は、レンズ９０で反射された光の一部、及び光源ユニット８０のミラー８３により反射された光が、上壁部４６の通気孔４８から外部へ漏れることを防止可能に形成されている。
【０１１０】
また、第２の遮光部形成部材１７４は、第１の遮光部形成部材１７３の縁部１７８との間から光が漏れることを防止可能に形成されている。具体的には、第２の遮光部形成部材１７４は、第１の遮光部形成部材１７３の縁部１７８にならって湾曲した形状を有している。第２の遮光部形成部材１７４の一方の面が、縁部１７８に面接触することにより、第２の遮光部形成部材１７４及び縁部１７８の間から光が漏れることが防止される。
【０１１１】
第２の遮光部形成部材１７４は、縁部１７８の幅方向一端から他端まで延びている。第２の遮光部形成部材１７４は、前後方向Ｆに所定長さを有している。第２の遮光部形成部材１７４の前端は、前後方向Ｆに例えば直交する平面に配置されている。第２の遮光部形成部材１７４の側縁は、例えば、前後方向Ｆに平行である。
【０１１２】
また、第２の遮光部形成部材１７４は、枠体１２５が第２の位置Ｐ２に配置されたときに、その内側に、第２の遮光部１７２、及びレンズ固定部５０を配置可能な大きさを有している。
【０１１３】
第２の遮光部１７２は、図３に示すように、レンズ固定部５０の後端縁部に形成されており、レンズ９０により反射された光の一部が、筐体４０に形成された通気孔４８を通って外部へ出ることを防止可能に形成されている。
【０１１４】
第２の遮光部１７２は、具体的には、筒状に形成されており、後方に延びている。また、第２の遮光部１７２は、図３に示すようにレンズ９０の光軸からの距離が後方に向かうにつれて漸次短くなるように、光軸に対して傾斜する形状に形成されている。
【０１１５】
本実施形態では、第２の遮光部１７２は、レンズ固定部５０が円筒形状であることから、円錐状に形成されている。
【０１１６】
このように構成された第１の遮光部１７１及び第２の遮光部１７２は、互いに共同して、レンズ９０による反射光が筐体４０に形成された通気孔４８から出ることを防止可能に構成されていればよい。すなわち、第１の遮光部形成部材１７３、第２の遮光部形成部材１７４、及び第２の遮光部１７２は、上記の形状に限定されるものではなく、それぞれの形状は、適宜変更することができる。
【０１１７】
また、第２の遮光部形成部材１７４の前後方向Ｆの長さは、枠体１２５を第２の位置Ｐ２に配置しても周囲に干渉しない長さを有している。第２の遮光部１７２の前後方向Ｆの長さは、第２の遮光部形成部材１７４を、上述のように周囲に干渉しない長さとしても、筐体４０の通気孔４８から光が漏れ出ることを防止可能な長さに設定されている。
【０１１８】
ここで、筐体４０の上壁部４６の第３の上面部４７ｃの位置、第１の上面部４７ａの高さにについて、具体的に説明する。第３の上面部４７ｃは、筐体４０内において、枠体１２５が第１の位置Ｐ１にある状態での第１の遮光部１７１よりも後方の位置に配置されている。
【０１１９】
第３の上面部４７ｃは、好ましくは、枠体１２５が第１の位置Ｐ１にある状態での第１の遮光部１７１の後方において近傍の位置に配置されることが好ましい。上壁部４６の第１の上面部４７ａの高さは、内部に、遮光構造１７０を配置可能な高さを有している。
【０１２０】
制御装置１８０は、光源ユニット８０を制御可能に構成されている。また、制御装置１８０は、光源８２の温度が、耐熱温度を超えた場合に、周囲に報知可能に構成されてもよい。この場合、光源ユニット８０の基板８１には、光源８２の温度を検出するセンサが設けられている。制御装置１８０のこのセンサの検出結果に基づいて、光源８２の温度が、その耐熱温度以上であるか否かを判断する。
【０１２１】
周囲への報知手段としては、例えば、表示部１８１がある。表示部１８１は、制御装置１８０の側面に形成されている。制御装置１８０は、光源８２の温度が耐熱温度以上であると、アラーム表示の一例として、表示部１８１を点灯する。
【０１２２】
このように構成された照明装置１０では、筐体４０の上壁部４６の範囲Ｒ内に通気孔４８が形成されることにより、上壁部４６において通気孔４８が形成される範囲を小さく抑えつつ、かつ、枠体１２５が第１の位置Ｐ１及び第２の位置Ｐ２の間のいずれの位置に配置されても、全ての放熱フィン１１２の上端面の広い範囲を通気孔４８に上下方向Ｖに対向させることができる。
【０１２３】
なお、ここで言う、全ての放熱フィン１１２の上端面の広い範囲とは、全ての放熱フィン１１２の上端面の全域のうち、通気孔４８の縁部に上下方向Ｖに対向する部分を除いた部分である。
【０１２４】
この為、枠体１２５が第１の位置Ｐ１及び第２の位置Ｐ２の間のいずれの位置に配置されても、放熱フィン１１２から放出された熱を、通気孔４８を通して外部へスムーズに排出することができるので、光源８２を効率よく冷却することができる。光源８２を効率よく冷却できるので、光源８２の寿命低下を防止できる。
【０１２５】
さらに、遮光構造１７０は、枠体１２５が第１の位置Ｐ１及び第２の位置Ｐ２の間のいずれの位置に配置されても、上壁部４６の通気孔４８及び後壁部４４の通気孔４８を通して外部へ光が漏れることが防止する。
【０１２６】
これらのことより、照明装置１０は、光源８２の寿命低下を防止しつつ、レンズ９０以外の箇所から外部へ光が漏れることを防止可能となる。
【０１２７】
また、第２の遮光部１７２は、図３に示すようにレンズ９０の光軸からの距離が後方に向かうにつれて漸次短くなるように、光軸に対して傾斜する形状に形成されている。この為、第２の遮光部１７２による遮光機能を維持しつつ、第２の遮光部１７２の前後方向の長さを短くすることができる。
【０１２８】
第２の遮光部１７２の前後長を短くすることができることにより、枠体１２５を、レンズ９０に近づけることができるので、照明装置１０の照射範囲の設定の自由度を向上することができる。
【０１２９】
また、遮光構造１７０を、光源ユニット８０と一体に移動される第１の遮光部１７１、及びレンズ９０側に固定される第２の遮光部１７２を備える構成とすることにより、枠体１２５が第１の位置Ｐ１に配置された状態において、第１の遮光部１７１及び第２の遮光部１７２の間にスペースを確保することができる。このスペースにより、レンズ９０の清掃等の各種メンテナンスを行うことができる。
【０１３０】
また、第２の遮光部形成部材１７４が第１の遮光部形成部材１７３に着脱可能であることにより、メンテナンス時に第２の遮光部形成部材１７４を取り外すことにより作業スペースをさらに広くすることができるので、メンテナンスの作業効率を向上することができる。
【０１３１】
また、遮光構造１７０は、レンズ９０による反射光に対して、第１の遮光部１７１及び第２の遮光部１７２が共同して作用する構造である。この為、レンズ９０に対する光源ユニット８０の移動範囲を変更する場合等、照明装置１０の構造を変更する場合に対して、第１の遮光部１７１及び第２の遮光部１７２のうち少なくとも一方を調整することにより、照明装置１０の構造の変更にフレキシブルに対応することができる。
【０１３２】
また、第１の遮光部１７１及び第２の遮光部１７２の形状を変更することにより、それぞれの形状変更の程度を小さく抑えることができる。
【０１３３】
また、光源ユニット８０及び冷却装置１００を、枠体１２５を介して移動することにより、光源ユニット８０及び冷却装置１００をスムーズに移動することができる。この点について、具体的に説明する。
【０１３４】
移動機構１５０は、枠体１２５の幅方向一方に設けられており、支持機構１６０は、枠体１２５の幅方向他方に設けられている。この為、移動機構１５０により枠体１２５移動する際には、枠体１２５において移動機構１５０が設けられた側の側部が、他方の側部を引っ張るようになる。
【０１３５】
この為、枠体１２５の剛性が低い場合では、枠体１２５がゆがんでしまう。枠体１２５がゆがむことにより、支持機構１６０に対して枠体１２５がずれることとなり、枠体１２５のスムーズな移動がなされなくなる。
【０１３６】
しかしながら、枠体１２５は、本実施形態では、前壁部１２６、側壁部１２７、後壁部１２８、及び底壁部１２９を有する枠形状であることにより、剛性が高い。さらに、枠体１２５は、移動機構１５０による移動に対して、上述のようなゆがみが発生しない程度の剛性を有するように構成されている。この為、冷却装置１００及び光源ユニット８０は、第１の位置Ｐ１及び第２の位置Ｐ２の間でスムーズに移動される。
【０１３７】
また、支持機構１６０が上壁部材１６４及び下壁部材１６５を有することにより、支持部材１６１は、上壁部材１６４の内面１６４ａ、または下壁部材１６５の内面１６５ａの一方に当接することとなる。この為、照明装置１０の姿勢によらず、筐体４０内での枠体１２５の位置を維持することができる。
【０１３８】
また、移動機構１５０の雄ねじ部材１５２が、枠体１２５の側壁部１２７の下部に支持されることにより、雄ねじ部材１５２が筐体４０内の下部の幅方向の隅のデッドスペースに配置されることとなるので、筐体４０の大型化を防止できる。
【０１３９】
また、雄ねじ部材１５２が、枠体１２５の側壁部１２７の下部に支持されることにより移動機構１５０の操作性が低下することを防止ができる。この点について、具体的に説明する。照明装置１０は、吊り下げ部材７０により吊り下げられて用いられることが多い為、移動機構１５０のハンドル１５５も高い位置に配置されることとなる。
【０１４０】
しかしながら、雄ねじ部材１５２が筐体４０の側壁部１２７の下部に支持されることにより、ハンドル１５５の位置を下げることができるので、ハンドル１５５の操作性が低下することを防止できる。
【０１４１】
また、筐体４０の後壁部４４に通気孔４８が形成され、かつ、レンズ固定部５０に連通孔５２が形成されることにより、照明装置１０が、吊り下げ部材７０の枠部材７１の回動軸回りにどのような姿勢となっても、筐体４０内の温度が過度に上昇することを防止できる。この点ついて具体的に説明する。
【０１４２】
照明装置１０は、吊り下げ部材７０により、照明装置１０の前端を重力方向に上方に配置し、照明装置１０の後端を重力方向に下方に配置する姿勢となる場合がある。このような場合では、筐体４０内の高い温度を有する空気は、上壁部４６の通気孔４８に加えて、レンズ固定部５０に形成された連通孔５２を通しても、排出されるようになる。この為、筐体４０内の高い温度を有する空気を、外部へ効率よく排出することが可能となる。
【０１４３】
さらに、照明装置１０の後端を重力方向に上方に配置し、照明装置１０の前端を重力方向に下方に配置する姿勢となる場合では、筐体４０内の高い温度を有する空気は、上壁部４６に形成された通気孔４８に加えて、後壁部４４に形成された通気孔４８を通しても、外部へ排出されるようになる。この為、筐体４０内の高い温度を有する空気を、外部へ効率よく排出することが可能となる。
【０１４４】
これらのことより、筐体４０内の熱は、外部へ排出されるので、筐体４０内の温度が過度に上昇することを防止できる。この為、光源８２の温度上昇を防止できる。
【０１４５】
また、レンズ固定部５０に連通孔５２を形成することにより、レンズ固定部５０の内面で光が反射することを防止できる。レンズ固定部５０の内面により反射した光が干渉することにより、照明装置１０から照射される光の一部が乱れる場合があるが。しかしながら、上述のように、レンズ固定部５０の内面での光の反射が防止されることにより、照明装置１０から照射された光が乱れることを防止できる。
【０１４６】
また、筐体４０は、その上壁部４６が、高さの違う第１の上面部４７ａ及び第２の上面部４７ｂを有することにより、枠体１２５の移動に伴い遮光構造１７０が上壁部４６と干渉することを防止しつつ、コンパクトに形成することができる。
【０１４７】
以上説明した実施形態によれば、筐体４０内の高い温度を有する空気は、レンズ固定部５０に形成された連通孔５２を通しても外部へ排出可能となる。この為、筐体４０内の高い温度を有する空気を、外部へ効率よく排出することが可能となる。
【０１４８】
なお、本実施形態では、通気孔４８は、上壁部４６及び後壁部４４に形成されている。そして、遮光構造１７０は、上壁部４６に形成された通気孔４８、及び後壁部４４に形成された通気孔４８を通して外部へ光が漏れることを防止可能に構成されている。
【０１４９】
例えば、通気孔４８が、側壁部４３に形成される場合においては、遮光構造１７０は、側壁部４３に形成された通気孔４８を通して外部へ光が漏れることを防止可能に構成される。
【０１５０】
また、本実施形態では、遮光構造１７０は、通気孔４８を通して外部へ光が漏れることを防止可能に構成されている。しかしながら、照明装置１０の使用場所によっては、レンズ９０以外からの光の漏れが多少であれば許容される場合がある。この場合では、遮光構造１７０は、通気孔４８からの光の漏れが許容範囲となるように構成されてもよい。
【０１５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５２】
１０…照明装置、４０…筐体、５０…レンズ固定部、５２…連通孔、８２…光源、９０…レンズ。
【図１】
2018056089.tif 000003
【図２】
2018056089.tif 000004
【図３】
2018056089.tif 000005
【図４】
2018056089.tif 000006
【図５】
2018056089.tif 000007
【図６】
2018056089.tif 000008
【図７】
2018056089.tif 000009
【図８】
2018056089.tif 000010
【図９】
2018056089.tif 000011
【図１０】
2018056089.tif 000012
【図１１】
2018056089.tif 000013
【図１２】
2018056089.tif 000014